【手続補正書】
【提出日】平成31年2月21日(2019.2.21)
【手続補正１】
【補正対象書類名】特許請求の範囲
【補正対象項目名】全文
【補正方法】変更
【補正の内容】
【特許請求の範囲】
【請求項１】
便器内に置かれる対象者の人体排泄物に使用される方法であって、
前記人体排泄物が前記便器内に置かれている間、１以上の光センサを用いて前記便器からの光を受け取ることと、
コンピュータプロセッサを用いて、
前記受光を解析することによって、５４０ｎｍ、５６５ｎｍ、５７５ｎｍから成る群から選択される概算波長を各々中心とする少なくとも２つのスペクトル帯域を検出することと、
前記少なくとも２つのスペクトル帯域の各スペクトル帯域の強度間の関係を判定することと、
当該検出に応じて、前記人体排泄物内に血液が存在すると判定することと、
少なくとも部分的に当該判定に応じて、出力デバイスの出力を生成することと、を含む方法。
【請求項２】
前記人体排泄物が大便であり、前記人体排泄物内に血液が存在すると判定することが、前記大便内に血液が存在すると判定することである、請求項１に記載の方法。
【請求項３】
前記人体排泄物が尿であり、前記人体排泄物内に血液が存在すると判定することが、前記尿内に血液が存在すると判定することである、請求項１に記載の方法。
【請求項４】
前記対象者の複数の人体排泄物内の血液に関するデータを記録することをさらに含み、前記出力を生成することが、前記記録されたデータに応答して出力を生成することである、請求項１に記載の方法。
【請求項５】
１以上の光センサを用いて前記便器から光を受け取ることが、１以上のカメラを用いて前記便器から１以上の画像を受け取ることであり、前記少なくとも２つのスペクトル帯域を前記受光内で検出することが、前記１以上の画像内の複数の各画素を個別に解析することによって前記人体排泄物の各部分内の前記少なくとも２つスペクトル帯域を特定することである、請求項１に記載の方法。
【請求項６】
１以上の光センサを用いて前記便器から光を受け取ることが、前記対象者が前記便器内に人体排泄物を排泄した後に、排泄後にいずれの人物も何らかの行動をとる必要なく、１以上の光センサを用いて前記便器から光を受け取ることである、請求項１に記載の方法。
【請求項７】
前記人体排泄物内に血液が存在すると判定することに応じて、前記血液のソースを示す前記対象者からの入力を要求することをさらに含む、請求項１に記載の方法。
【請求項８】
５４０ｎｍ、５６５ｎｍ、５７５ｎｍから成る群から選択される概算波長を各々中心とする少なくとも２つのスペクトル帯域を検出することが、前記選択された波長の＋／−５ｎｍ内にある波長を中心とする少なくとも２つのスペクトル帯域を検出することである、請求項１に記載の方法。
【請求項９】
前記便器内の排泄物を照射することをさらに含み、前記光を受け取ることが、前記照射から生じる反射光を受け取ることである、請求項１〜７のいずれか１項に記載の方法。
【請求項１０】
前記便器内の排泄物を照射することが、白色光を用いて前記便器内の排泄物を照射することである、請求項９に記載の方法。
【請求項１１】
前記便器内の排泄物を照射することが、前記少なくとも２つのスペクトル帯域のうちの１以上のスペクトル帯域の光で前記便器内の排泄物を照射することである、請求項９に記載の方法。
【請求項１２】
前記少なくとも２つのスペクトル帯域を検出することが、各々が４０ｎｍ未満の帯域幅を有する前記少なくとも２つのスペクトル帯域を検出することである、請求項１に記載の方法。
【請求項１３】
前記少なくとも２つのスペクトル帯域を検出することが、各々が８ｎｍより大きい帯域幅を有する前記少なくとも２つのスペクトル帯域を検出することである、請求項１に記載の方法。
【請求項１４】
前記少なくとも２つのスペクトル帯域の各スペクトル帯域の強度間の関係を判定することが、
約５７５ｎｍを中心とする帯域の強度と約５６５ｎｍを中心とする帯域の強度との間の第１比を判定することと、
前記約５６５ｎｍを中心とする帯域の強度と約５４０ｎｍを中心とする帯域の強度との間の第２比を判定することと、を含む、請求項１に記載の方法。
【請求項１５】
１以上の光センサを用いて前記便器から光を受け取ることが、マルチスペクトルカメラを用いて前記便器から光を受け取ることである、請求項１〜７のいずれか１項に記載の方法。
【請求項１６】
前記受光を解析することが、２つの空間規模と１つの波長規模とを含むデータのハイパーキューブを生成することである、請求項１５に記載の方法。
【請求項１７】
便器内に置かれる対象者の人体排泄物に使用される装置と出力デバイスであって、
前記人体排泄物が前記便器内に置かれている間、前記便器からの光を受け取るように構成された１以上の光センサと、
前記受光を解析することによって、５４０ｎｍ、５６５ｎｍ、５７５ｎｍから成る群から選択される概算波長を各々中心とする少なくとも２つのスペクトル帯域を検出し、
前記少なくとも２つのスペクトル帯域の各スペクトル帯域の強度間の関係を判定し、
当該検出に応じて、前記人体排泄物内に血液が存在すると判定し、
少なくとも部分的に当該判定に応じて、前記出力デバイスに出力を生成するように構成されたコンピュータプロセッサと、を備える装置。
【請求項１８】
前記人体排泄物が大便であり、前記コンピュータプロセッサが、前記大便内に血液が存在すると判定することによって前記人体排泄物内に血液が存在すると判定するように構成される、請求項１７に記載の装置。
【請求項１９】
前記人体排泄物が尿であり、前記コンピュータプロセッサが、前記尿内に血液が存在すると判定することによって前記人体排泄物内に血液が存在すると判定するように構成される、請求項１７に記載の装置。
【請求項２０】
前記コンピュータプロセッサが、前記対象者の複数の人体排泄物内の血液に関するデータを記録し、前記記録されたデータに応答して前記出力を生成するように構成される、請求項１７に記載の装置。
【請求項２１】
前記１以上の光センサが、前記人体排泄物の１以上の画像を取得するように構成された１以上のカメラであり、前記コンピュータプロセッサが、前記人体排泄物の各部分内の前記少なくとも２つのスペクトル帯域を特定し、前記１以上の画像内の複数の各画素を個々に解析することによって、前記受光内の前記少なくとも２つのスペクトル帯域を検出するように構成される、請求項１７に記載の装置。
【請求項２２】
前記対象者が前記便器内に人体排泄物を排泄した後に、前記１以上の光センサが、排泄後にいずれの人物も何らかの行動をとる必要なく、前記便器から光を受け取るように構成される、請求項１７に記載の装置。
【請求項２３】
前記人体排泄物内に血液が存在すると判定することに応じて、前記コンピュータプロセッサが前記血液のソースを示す前記対象者からの入力を要求するように構成される、請求項１７に記載の装置。
【請求項２４】
前記コンピュータプロセッサが、前記選択された波長の＋／−５ｎｍ内にある波長を中心とする少なくとも２つのスペクトル帯域を検出することによって、５４０ｎｍ、５６５ｎｍ、５７５ｎｍから成る群から選択される概算波長を各々中心とする少なくとも２つのスペクトル帯域を検出するように構成される、請求項１７に記載の装置。
【請求項２５】
前記便器内の排泄物を照射するように構成された光源をさらに備え、前記１以上の光センサが、前記照射から生じる反射光を受け取るように構成される、請求項１７〜２３のいずれか１項に記載の装置。
【請求項２６】
前記光源が、白色光で前記便器内の排泄物を照射するように構成される、請求項２５に記載の装置。
【請求項２７】
前記光源が、前記スペクトル帯域の１以上のスペクトル帯域の光で前記便器内の排泄物を照射するように構成される、請求項２５に記載の装置。
【請求項２８】
前記コンピュータプロセッサが、各々が４０ｎｍ未満の帯域幅を有する前記少なくとも２つのスペクトル帯域を検出することによって、前記少なくとも２つのスペクトル帯域を検出するように構成される、請求項１７に記載の装置。
【請求項２９】
前記コンピュータプロセッサが、各々が８ｎｍより大きい帯域幅を有する前記少なくとも２つのスペクトル帯域を検出することによって、前記少なくとも２つのスペクトル帯域を検出するように構成される、請求項１７に記載の装置。
【請求項３０】
前記コンピュータプロセッサが、
約５７５ｎｍを中心とする帯域の強度と約５６５ｎｍを中心とする帯域の強度との間の第１比を判定することと、
前記約５６５ｎｍを中心とする帯域の強度と約５４０ｎｍを中心とする帯域の強度との間の第２比を判定することと、によって、前記少なくとも２つのスペクトル帯域の各スペクトル帯域の前記強度間の関係を判定するように構成される、請求項１７に記載の装置。
【請求項３１】
前記１以上の光センサがマルチスペクトルカメラである、請求項１７〜２３のいずれか１項に記載の装置。
【請求項３２】
前記コンピュータプロセッサが、２つの空間規模と１つの波長規模とを含むデータのハイパーキューブを生成することによって前記受光を解析するように構成される、請求項３１に記載の装置。